【手続補正書】
【提出日】平成17年11月22日(2005.11.22)
【手続補正１】
【補正対象書類名】特許請求の範囲
【補正対象項目名】全文
【補正方法】変更
【補正の内容】
【特許請求の範囲】
【請求項１】
マン・マシン・インタフェースとしての利用に適し、実質的に固定した誘電基板装置であって、
該基板の第１の面上に配置された少なくとも１つの薄い電極を有する少なくとも１つの接触センサと、
前記基板の第２の面に配置された第１の薄く柔軟なデコラティブ層の上に配置された少なくとも１つのデコレーションと、
前記基板の前記第２の面に関連し、前記少なくとも１つの接触センサに対応する少なくとも１つの接触面であって、前記少なくとも１つの接触センサが前記少なくとも１つの接触面に接触または接近する刺激に応答して信号を生成する該接触面と、
を含む、前記誘電基板装置。
【請求項２】
前記基板がプリント配線基板である、請求項１記載の誘電基板装置。
【請求項３】
前記基板がガラスを含む、請求項１記載の誘電基板装置。
【請求項４】
前記少なくとも第１のデコラティブ層の少なくとも一部がドームを有する、請求項１記載の誘電基板装置。
【請求項５】
前記接触センサがさらに、前記少なくとも１つの電極に近接する統合制御回路を有する、請求項１記載の誘電基板装置。
【請求項６】
選択的に実施可能な光源をさらに有する、請求項１記載の誘電基板装置。
【請求項７】
前記選択的に実施可能な光源が前記少なくとも１つの接触センサに統合された、請求項６記載の誘電基板装置。
【請求項８】
前記デコレーションの少なくとも１つの層がテクスチャを施されている、請求項１記載の誘電基板装置。
【請求項９】
前記少なくとも第１のデコラティブ層に配置された第２のデコラティブ層をさらに有する、請求項１記載の誘電基板装置。
【請求項１０】
前記少なくとも第１のデコラティブ層が少なくとも１つのアパーチャを含む、請求項１記載の誘電基板装置。
【請求項１１】
第２の基板と前記第２の基板上に支持された光源とをさらに含む、請求項１記載の誘電基板装置。
【請求項１２】
前記少なくとも１つの電極が実質的に透明である、請求項１記載の誘電基板装置。
【請求項１３】
前記光源が発光ポリマーである、請求項１１記載の誘電基板装置。
【請求項１４】
前記ガラスがライトパイプを含む、請求項３記載の誘電基板装置。
【請求項１５】
前記光源が発光ダイオードを含む、請求項１１記載の誘電基板装置。
【請求項１６】
前記発光ダイオードが有機発光ダイオードである、請求項１５記載の誘電基板装置。
【請求項１７】
スイッチパネルとして実質的に固定した誘電基板を使用する方法であって、
少なくとも１つの薄い電極を含む少なくとも１つの接触センサを、前記基板の第１の面上に配置するステップと、
少なくとも１つのデコレーションを第１のデコラティブ層に配置するステップと、
前記少なくとも１つの接触センサに対応する前記少なくとも１つの接触面を前記基板の前記第２の面と関連付けるステップであって、前記少なくとも１つの接触センサが前記少なくとも１つの接触面に接触または接近する刺激に応答して信号を生成する該ステップと、
を含む、前記方法。
【請求項１８】
前記基板の第１の面上の少なくとも１つの接触センサを配置する前記ステップは、前記基板の前記第１の面上の少なくとも１つの薄い電極をプリントするスクリーンを含む、請求項１７記載の方法。
【請求項１９】
前記基板がライトパイプを含む、請求項３記載の誘電基板装置。
【請求項２０】
前記ライトパイプと実施可能なように関連付けられた光源をさらに含む、請求項１９記載の誘電基板装置。
【請求項２１】
前記基板が高分子材料を含む、請求項１記載の誘電基板装置。
【請求項２２】
前記基板がライトパイプを含む、請求項２１記載の誘電基板装置。
【請求項２３】
前記ライトパイプと実施可能なように関連付けられた光源をさらに含む、請求項２１記載の誘電基板装置。
【請求項２４】
前記基板の前記第２の面に配置されたライトパイプをさらに含む、請求項１記載の誘電基板装置。
【請求項２５】
前記デコレーションの少なくとも一部が前記ライトパイプ上に配置されている、請求項２４記載の誘電基板装置。
【請求項２６】
前記基板と前記少なくとも第１のデコラティブ層との間に配置されたライトパイプをさらに含む、請求項２４記載の誘電基板装置。
【請求項２７】
マン・マシン・インタフェースとしての利用に適した誘電基板装置であって、
ライトパイプと、
前記ライトパイプの第１の面に配置され、薄い平面電極を含む少なくとも１つの接触センサと、
前記ライトパイプ上に配置された少なくとも１つのデコレーションと、
前記ライトパイプと実施可能なように関連付けられた少なくとも１つの光源と、
を含む、前記誘電基板装置。
【請求項２８】
前記少なくとも１つのデコレーションは前記基板に直接適用される、請求項２７記載の誘電基板装置。
【請求項２９】
前記少なくとも１つのデコレーションは前記基板上に配置された少なくとも第１のデコラティブ層に適用される、請求項２７記載の誘電基板装置。
【請求項３０】
前記少なくとも第１のデコラティブ層の少なくとも一部がドームを含む、請求項２９記載の誘電基板装置。
【請求項３１】
前記接触センサがさらに、前記少なくとも１つの電極に近接する統合制御回路をさらに有する、請求項２７記載の誘電基板装置。
【請求項３２】
選択的に実施可能な光源をさらに有する、請求項２７記載の誘電基板装置。
【請求項３３】
前記選択的に実施可能な光源が前記少なくとも１つの接触センサに統合された、請求項３２記載の誘電基板装置。
【請求項３４】
前記デコレーションの少なくとも１つの領域がテクスチャを施されている、請求項２７記載の誘電基板装置。
【請求項３５】
前記少なくとも第１のデコラティブ層に配置された第２のデコラティブ層をさらに有する、請求項２９記載の誘電基板装置。
【請求項３６】
前記少なくとも第１のデコラティブ層は少なくとも１つのアパーチャを含む、請求項２９記載の誘電基板装置。
【請求項３７】
第２の基板と前記第２の基板上に支持された光源とをさらに含む、請求項２７記載の誘電基板装置。
【請求項３８】
前記少なくとも１つの電極は実質的に透明である、請求項２７記載の誘電基板装置。
【請求項３９】
前記光源が発光ポリマーである、請求項３７記載の誘電基板装置。
【請求項４０】
前記光源が発光ダイオードを含む、請求項３７記載の誘電基板装置。
【請求項４１】
前記発光ダイオードが有機発光ダイオードである、請求項４０記載の誘電基板装置。
【請求項４２】
マン・マシン・インタフェースとしての利用に適した誘電基板装置であって、
前記基板の第１の面に配置され、少なくとも１つの薄い電極を含む、少なくとも１つの接触センサと、
前記基板上に配置されたライトパイプと、
前記基板上に配置された少なくとも１つのデコレーションと、
前記基板に関連し前記少なくとも１つの接触センサに対応する、少なくとも１つの接触面であって、前記少なくとも１つの接触センサが前記少なくとも１つの接触面に接触または接近する刺激に応答して信号を生成する該接触面と、
を含む、前記誘電基板装置。
【請求項４３】
前記ライトパイプの少なくとも一部が前記少なくとも１つの接触センサの少なくとも一部に配置されている、請求項４２記載の誘電基板装置。
【請求項４４】
前記少なくとも１つのデコレーションの少なくとも一部が前記ライトパイプの前記少なくとも一部に配置されている、請求項４３記載の誘電基板装置。
【請求項４５】
前記ライトパイプが前記基板の前記第２の表面に配置されている、請求項４２記載の誘電基板装置。
【請求項４６】
前記少なくとも１つのデコレーションの少なくとも一部が前記ライトパイプの前記少なくとも一部に配置されている、請求項４５記載の誘電基板装置。